(57)【要約】【課題】観察者が特定の方向とは異なる方向から見たコンテンツを見ることができるとともに、観察者の視点とコンテンツの表示態様とを対応させ易い表示装置を提供することを、目的とする。【解決手段】表示領域１８を有する表示パネル１２と、表示領域１８にコンテンツを表示する制御部１６と、コンテンツを見る観察者の前方に設けられ、コンテンツを見る観察者の視点を検出する検出部１４とを備える。制御部１６は、検出部１４が検出した結果に基づいて、観察者の視界を特定する視界特定部３４と、視界特定部３４が特定した観察者の視界に基づいて、コンテンツの表示態様を決定する表示態様決定部３８と、表示態様決定部３８が決定したコンテンツの表示態様に基づいて、コンテンツを表示領域１８に表示する表示制御部４６とを備える。【選択図】図１
2014199963.tif 000002
【特許請求の範囲】
【請求項１】
表示領域を有する表示パネルと、
前記表示領域にコンテンツを表示する制御部と、
前記コンテンツを見る観察者の前方に設けられ、観察者の視点を検出する検出部とを備え、
前記制御部は、
前記検出部が検出した結果に基づいて、観察者の視界を特定する視界特定部と、
前記視界特定部が特定した観察者の視界に基づいて、前記コンテンツの表示態様を決定する表示態様決定部と、
前記表示態様決定部が決定した前記コンテンツの表示態様に基づいて、前記コンテンツを前記表示領域に表示する表示制御部とを備える、表示装置。
【請求項２】
前記制御部は、前記コンテンツのデータが表示態様データを含むか否かを判定する判定部をさらに備え、
前記コンテンツのデータが前記表示態様データを含むと前記判定部が判断した場合に、前記視界特定部が観察者の視界を特定する、請求項１に記載の表示装置。
【請求項３】
前記制御部は、前記視界特定部が前記検出部の検出結果と比較する際に用いる基準を設定する基準設定部をさらに備える、請求項１又は２に記載の表示装置。
【請求項４】
前記制御部は、前記表示領域の前方に観察者がいるか否かを確認する確認部をさらに備え、
前記確認部が前記表示領域の前方に観察者がいることを確認した場合に、前記視界特定部が観察者の視界を特定する、請求項１〜３の何れか１項に記載の表示装置。
【請求項５】
前記確認部は、前記検出部が検出した結果に基づいて、前記表示領域の前方に観察者がいるか否かを確認する、請求項４に記載の表示装置。
【請求項６】
前記表示領域の前方に観察者がいないことを、前記確認部が確認した場合に、前記表示態様決定部が、前記コンテンツの表示態様を予め定められた表示態様に設定する、請求項４又は５に記載の表示装置。
【請求項７】
スピーカをさらに備え、
前記制御部は、
前記視界特定部が特定した観察者の視界に基づいて、前記スピーカから出力される音声の出力態様を決定する出力態様決定部と、
前記出力態様決定部が決定した出力態様に基づいて、前記スピーカから音声を出力する音声制御部とをさらに備える、請求項１〜６の何れか１項に記載の表示装置。
【請求項８】
前記検出部を複数備え、
前記制御部は、複数の前記検出部のそれぞれが検出した結果に基づいて、観察者の視点を特定する視点特定部をさらに備える、請求項１〜７の何れか１項に記載の表示装置。
【請求項９】
前記視点特定部は、
前記検出部が検出した結果に基づいて、観察者が複数存在するか否かを判断する判断部と、
観察者が複数存在すると前記判断部が判断した場合に、複数の観察者のうち前記表示パネルとの距離が最も近い観察者を特定する観察者特定部と、
前記観察者特定部が特定した観察者の視点を決定する視点決定部とを備える、請求項１〜８の何れか１項に記載の表示装置。
【発明の詳細な説明】
【技術分野】
【０００１】
本発明は、観察者の視点に応じてコンテンツの見え方を変化させることができる表示装置に関する。
【背景技術】
【０００２】
液晶表示装置等の表示装置が、従来から知られている。表示装置の表示画面には、コンテンツが表示される。観察者は、表示画面に表示されるコンテンツを見る。
【先行技術文献】
【特許文献】
【０００３】
【特許文献１】特開平７−３０６９５５号公報
【発明の概要】
【発明が解決しようとする課題】
【０００４】
一般的に、観察者の視点が移動しても、コンテンツの見え方は変化しない。換言すれば、表示画面には、特定の方向から見たコンテンツしか表示されない。そのため、観察者は、その視点を移動させたとしても、特定の方向から見たコンテンツだけを見ることになる。
【０００５】
なお、特開平７−３０６９５５号公報（特許文献１）には、３次元イリュージョンを生み出すシステムが開示されている。このシステムでは、スクリーンに対して、客が部屋の床の格子上を移動すると、コンピュータが客の視点の現実世界におけるおおよその位置を示すデータを受理する。客の視点がスクリーンに対して新しい位置に移動した場合、その新しい位置における適切な映像がコンピュータによって生成され、スクリーンに表示される。
【０００６】
しかしながら、特許文献１においては、部屋の中における客の位置から客の視点を推定することになり、当該推定した客の視点と実際の客の視点とが異なる場合がある。加えて、特許文献１では、客の視点位置を示すデータを得るためのシステムが複雑になる。
【０００７】
本発明の目的は、観察者が特定の方向とは異なる方向から見たコンテンツを見ることができるとともに、観察者の視点とコンテンツの表示態様とを対応させ易い表示装置を提供することである。
【課題を解決するための手段】
【０００８】
本発明の表示装置は、表示領域を有する表示パネルと、前記表示領域にコンテンツを表示する制御部と、前記コンテンツを見る観察者の前方に設けられ、観察者の視点を検出する検出部とを備え、前記制御部は、前記検出部が検出した結果に基づいて、観察者の視界を特定する視界特定部と、前記視界特定部が特定した観察者の視界に基づいて、前記コンテンツの表示態様を決定する表示態様決定部と、前記表示態様決定部が決定した前記コンテンツの表示態様に基づいて、前記コンテンツを前記表示領域に表示する表示制御部とを備える。
【発明の効果】
【０００９】
本発明の表示装置は、観察者が特定の方向とは異なる方向から見たコンテンツを見ることができるとともに、観察者の視点とコンテンツの表示態様とを対応させ易い。
【図面の簡単な説明】
【００１０】
【図１】図１は、本発明の第１の実施形態としての表示装置の概略構成の一例を示す機能ブロック図である。
【図２】図２は、表示装置の一例を示す正面図である。
【図３】図３は、水平方向の表示態様データを説明するための平面図である。
【図４】図４は、垂直方向の表示態様データを説明するための側面図である。
【図５】図５は、検出部が観察者の視点を検出する様子を示す説明図である。
【図６】図６は、検出部が検出した結果に基づいて観察者の視点が特定される様子を示す説明図である。
【図７】図７は、表示領域に表示されるコンテンツの一例を示す正面図である。
【図８】図８は、図７とは表示態様が異なるコンテンツの一例を示す正面図である。
【図９】図９は、図７とは表示態様が異なるコンテンツの他の一例を示す正面図である。
【図１０】図１０は、図７とは表示態様が異なるコンテンツの更に別の一例を示す正面図である。
【図１１】図１１は、表示領域に表示されるコンテンツの一例を示す正面図である。
【図１２】図１２は、観察者が図１１に示す位置から移動したときに、表示領域に表示されるコンテンツの一例を示す正面図である。
【図１３】図１３は、表示領域に表示されるコンテンツの一例を示す正面図である。
【図１４】図１４は、観察者が図１３に示す位置から移動したときに、表示領域に表示されるコンテンツの一例を示す正面図である。
【図１５】図１５は、制御部が実行する基準設定処理の一例を示すフローチャートである。
【図１６】図１６は、制御部が実行するコンテンツ表示処理の一例を示すフローチャートである。
【図１７】図１７は、観察者が図１３に示す位置から移動したときに、表示領域に表示されるコンテンツの他の一例を示す正面図である。
【図１８】第１の実施形態の応用例２で採用される視点特定部の概略構成の一例を示す機能ブロック図である。
【図１９】図１９は、本発明の第２の実施形態としての表示装置の概略構成の一例を示す機能ブロック図である。
【図２０】図２０は、表示領域に表示されるコンテンツの一例を示す正面図である。
【図２１】図２１は、観察者が図２０に示す位置から移動したときに、表示領域に表示されるコンテンツの一例を示す正面図である。
【図２２】図２２は、制御部が実行する音声出力処理の一例を示すフローチャートである。
【発明を実施するための形態】
【００１１】
本発明の一実施形態に係る表示装置は、表示領域を有する表示パネルと、前記表示領域にコンテンツを表示する制御部と、前記コンテンツを見る観察者の前方に設けられ、観察者の視点を検出する検出部とを備え、前記制御部は、前記検出部が検出した結果に基づいて、観察者の視界を特定する視界特定部と、前記視界特定部が特定した観察者の視界に基づいて、前記コンテンツの表示態様を決定する表示態様決定部と、前記表示態様決定部が決定した前記コンテンツの表示態様に基づいて、前記コンテンツを前記表示領域に表示する表示制御部とを備える（第１の構成）。
【００１２】
第１の構成においては、観察者の視点に基づいて、観察者の視界が特定される。特定された観察者の視界に基づいて、コンテンツの表示態様が決定される。そのため、観察者は、特定の方向とは異なる方向から見たコンテンツを見ることができる。
【００１３】
ここで、第１の構成においては、検出部が観察者の前方に設けられる。そのため、観察者の視点を検出し易くなる。その結果、観察者の視点とコンテンツの表示態様とを対応させ易くなる。
【００１４】
第２の構成は、前記第１の構成において、前記制御部は、前記コンテンツのデータが表示態様データを含むか否かを判定する判定部をさらに備え、前記コンテンツのデータが前記表示態様データを含むと前記判定部が判断した場合に、前記視界特定部が観察者の視界を特定する構成である。このような構成においては、コンテンツのデータが表示態様データを含む場合だけ、観察者の視界が特定される。そのため、制御部が無駄な処理をしなくて済む。
【００１５】
第３の構成は、前記第１又は第２の構成において、前記制御部は、前記視界特定部が前記検出部の検出結果と比較する際に用いる基準を設定する基準設定部をさらに備える構成である。このような構成においては、視界特定部が視界を特定する際の精度を向上させることができる。
【００１６】
第４の構成は、前記第１〜第３の構成の何れか１つにおいて、前記制御部は、前記表示領域の前方に観察者がいるか否かを確認する確認部をさらに備え、前記確認部が前記表示領域の前方に観察者がいることを確認した場合に、前記視界特定部が観察者の視界を特定する構成である。このような構成においては、観察者が表示領域の前方に位置する場合だけ、観察者の視界が特定される。そのため、制御部が無駄な処理をしなくて済む。
【００１７】
第５の構成は、前記第４の構成において、前記確認部は、前記検出部が検出した結果に基づいて、前記表示領域の前方に観察者がいるか否かを確認する構成である。このような構成においては、表示領域の前方に観察者がいるか否かを確認するためだけに用いる検出手段を別途設ける必要がなくなる。
【００１８】
第６の構成は、前記第４又は第５の構成において、前記表示領域の前方に観察者がいないことを、前記確認部が確認した場合に、前記表示態様決定部が、前記コンテンツの表示態様を予め定められた表示態様に設定する構成である。このような構成においては、観察者が表示領域の前方にいなくても、コンテンツを表示することができる。
【００１９】
第７の構成は、前記第１〜第６の構成の何れか１つにおいて、スピーカをさらに備え、前記制御部は、前記視界特定部が特定した観察者の視界に基づいて、前記スピーカから出力される音声の出力態様を決定する出力態様決定部と、前記出力態様決定部が決定した出力態様に基づいて、前記スピーカから音声を出力する音声制御部とをさらに備える構成である。このような構成においては、表示領域に表示される画像と、スピーカから出力される音声とを対応させることができる。
【００２０】
第８の構成は、前記第１〜第７の構成の何れか１つにおいて、前記検出部を複数備え、前記制御部は、複数の前記検出部のそれぞれが検出した結果に基づいて、観察者の視点を特定する視点特定部をさらに備える構成である。このような構成においては、観察者の視点を特定する精度を向上させることができる。
【００２１】
第９の構成は、前記第１〜第８の構成の何れか１つにおいて、前記視点特定部は、前記検出部が検出した結果に基づいて、観察者が複数存在するか否かを判断する判断部と、観察者が複数存在すると前記判断部が判断した場合に、複数の観察者のうち前記表示パネルとの距離が最も近い観察者を特定する観察者特定部と、前記観察者特定部が特定した観察者の視点を決定する視点決定部とを備える構成である。このような構成においては、コンテンツの表示態様が特定の観察者の視界に基づいて決定される。そのため、複数の観察者のそれぞれが視点を変えた場合に、コンテンツの表示態様がその都度変わるのを防ぐことができる。
【００２２】
以下、本発明のより具体的な実施形態について、図面を参照しながら説明する。なお、以下で参照する各図は、説明の便宜上、本発明の実施形態の構成部材のうち、本発明を説明するために必要な主要部材のみを簡略化して示したものである。従って、本発明に係る表示装置は、本明細書が参照する各図に示されていない任意の構成部材を備え得る。また、図中同一又は相当部分には、同一符号を付して、その説明は繰り返さない。
【００２３】
［第１の実施形態］
図１を参照して、本発明の第１の実施形態としての表示装置１０について説明する。図１は、表示装置１０の概略構成の一例を示す機能ブロック図である。
【００２４】
表示装置１０は、コンテンツを表示する。表示装置１０の具体例としては、例えば、携帯電話機、携帯情報端末、テレビ受像機、ラップトップ型パソコン、ノートブック型パソコン、ゲーム機等のディスプレイがある。表示装置１０は、表示パネル１２と、検出部１４と、制御部１６とを備える。
【００２５】
表示パネル１２は、例えば、液晶パネル、プラズマディスプレイパネル（ＰＤＰ）、有機ＥＬ(electroluminescence)パネル、ＦＥＤ（Field Emission Display）パネル等である。表示パネル１２は、複数の画素（図示せず）を有する。複数の画素は、例えば、マトリクス状に形成されている。複数の画素の形成領域が、表示パネル１２の表示領域１８（図２参照）になる。
【００２６】
各画素は、複数のサブ画素を有してもよい。複数のサブ画素は、例えば、赤色画素、緑色画素及び青色画素である。複数のサブ画素は、黄色画素をさらに含んでもよい。
【００２７】
検出部１４は、観察者の視点を検出する。観察者は、表示領域１８に表示されるコンテンツを見る。コンテンツは、動画であってもよいし、静止画であってもよい。動画は、例えば、ビデオカメラ等で撮影したスポーツの試合、舞台劇、音楽家の演奏等である。静止画は、例えば、ビデオカメラ等で撮影した風景、パソコンで作成したグラフ等である。
【００２８】
検出部１４は、例えば、表示領域１８の前方に位置する観察者の視点を検出する。表示領域１８の前方に位置する観察者とは、例えば、表示パネル１２の垂線方向の投影において、表示領域１８と重なる観察者をいう。好ましくは、例えば、表示パネル１２の垂線方向の投影において、顔の一部が表示領域１８と重なる観察者をいう。
【００２９】
検出部１４は、例えば、観察者の顔を撮影する機能を有する。検出部１４が観察者の顔を撮影することにより、例えば、顔の位置、瞳孔の位置、顔の向き等が判る。その結果、観察者の視点が検出される。
【００３０】
検出部１４は、例えば、観察者との距離を測定する機能を有する。これにより、検出部１４から観察者までの距離が判る。
【００３１】
検出部１４は、例えば、観察者の顔を撮影する機能と、観察者との距離を測定する機能とを併せ備えてもよい。或いは、観察者の顔を撮影する機能を備えた検出部１４と、観察者との距離を測定する機能を備えた検出部１４とを別々に設けてもよい。この場合、これらの検出部１４は、近接して配置することが望ましい。
【００３２】
検出部１４が検出した結果（例えば、検出部１４が検出した観察者の視点と、検出部１４が測定した観察者との距離）に基づいて、観察者の視界が特定される。観察者の視界は、例えば、観察者の両目の瞳孔を結ぶ線分の中点と、表示領域１８の四隅とを結ぶ直線によって規定される四角錐のうち、表示領域１８を挟んで観察者とは反対側に位置する部分の内側の領域である。換言すれば、観察者の視界は、例えば、表示領域１８を窓と考えた場合、この窓の外側の領域のうち、観察者が現在いる位置から見える範囲である。
【００３３】
図１では、図面を判り易くするために、１つの検出部１４だけを示しているが、複数の検出部１４を設けることが好ましい。例えば、図２の例では、４つの検出部１４が設けられている。図２は、表示装置１０の正面図である。
【００３４】
図２に示すように、表示装置１０は、筺体２０を備える。筺体２０は、表示パネル１２を支持する。筺体２０は、開口２２を有する。開口２２は、表示領域１８を露出させる。これにより、観察者は表示領域１８を見ることができる。
【００３５】
検出部１４は、表示領域１８の周囲に設けられる。換言すれば、検出部１４は、観察者の前方に設けられる。図２の例では、検出部１４は、正面から見た筺体２０の四隅に１つずつ設けられている。検出部１４は、例えば、筺体２０の内側に設けてもよいし、筺体２０の外側に設けてもよい。筺体２０の内側に検出部１４を設ける場合、検出部１４は、例えば、筺体２０に形成された開口を通じて露出される。筺体２０の外側に検出部１４を設ける場合、検出部１４は、例えば、筺体２０の表面に設けられる。
【００３６】
図１に示すように、検出部１４は、検出結果を出力する。検出結果は、例えば、観察者の顔の画像データと、検出部１４から観察者の顔までの距離である。
【００３７】
検出部１４が出力する検出結果は、制御部１６に入力される。制御部１６は、検出部１４からの検出結果に基づいて、表示領域１８に表示されるコンテンツの表示態様（見え方）を変更する。換言すれば、制御部１６は、検出部１４からの検出結果に基づいて、コンテンツの表示態様を変化させる。
【００３８】
制御部１６は、格納部２４を備える。格納部２４は、表示領域１８に表示されるコンテンツのデータを格納する。格納部２４は、例えば、外部から送られてくるコンテンツのデータを一時的に格納するメモリである。コンテンツのデータは、例えば、輝度データと、表示態様データとを含む。
【００３９】
輝度データは、コンテンツを表示する画素の輝度を示す。輝度データは、表示態様データに対応して設定されている。
【００４０】
表示態様データは、例えば、観察者がコンテンツをみる方向と、当該方向から見たコンテンツとを含む。表示態様データは、例えば、水平方向の表示態様データと、垂直方向の表示態様データとを含む。
【００４１】
ここで、図３及び図４を参照しながら、表示態様データ（例えば、水平方向の表示態様データと、垂直方向の表示態様データ）について説明する。図３及び図４では、観察者がコンテンツに表示される立方体４０を見ている状態が示されている。
【００４２】
水平方向の表示態様データは、所定の方向に延びる直線ＤＬ（基準線ＤＬ）に対して、水平方向に角度θＨだけ傾いた方向からコンテンツを見るときの表示態様データである。図３に示すように、角度θＨは、観察者２６がコンテンツを見る方向に延びる直線ＶＬと、基準線ＤＬとが、垂直方向の投影において為す角度である。基準線ＤＬが延びる方向から見たコンテンツが、デフォルトのコンテンツになる。直線ＶＬは、例えば、観察者２６の両目の瞳孔を結ぶ線分の中点を通る。角度θＨの取り得る範囲は、例えば、基準線ＤＬの左右両側にそれぞれ、０〜９０度である。
【００４３】
垂直方向の表示態様データは、基準線ＤＬに対して、垂直方向に角度θＶだけ傾いた方向からコンテンツを見るときの表示態様データである。図４に示すように、角度θＶは、直線ＶＬと、基準線ＤＬとが、水平方向の投影において為す角度である。角度θＶの取り得る範囲は、例えば、基準線ＤＬの上下両側にそれぞれ、０〜９０度である。
【００４４】
表示態様データ（例えば、水平方向の表示態様データと、垂直方向の表示態様データ）に基づいて、コンテンツの表示態様が決まる。コンテンツの表示態様を決定する方法については、後述する。
【００４５】
図１に示すように、制御部１６は、判定部２８をさらに備える。判定部２８は、どのようなデータがコンテンツのデータに含まれているかを確認する。判定部２８は、例えば、コンテンツのデータに表示態様データが含まれているか否かを判定する。
【００４６】
制御部１６は、確認部３０をさらに備える。確認部３０は、例えば、検出部１４が検出した結果に基づいて、表示領域１８の前方に観察者が存在するか否かを確認する。確認部３０は、例えば、パターン認識を利用することによって、観察者が存在するか否かを判断する。
【００４７】
確認部３０は、例えば、１つの検出部１４の検出結果に基づいて表示領域１８の前方に観察者が存在するか否かを確認してもよいし、複数の検出部１４の検出結果に基づいて表示領域１８の前方に観察者が存在するか否かを確認してもよい。１つの検出部１４の検出結果に基づいて表示領域１８の前方に観察者が存在するか否かを確認する場合、複数の検出部１４の検出結果に基づいて表示領域１８の前方に観察者が存在するか否かを確認する場合に比して、表示領域１８の前方に観察者が存在するか否かを確認するのに要する時間を短くすることができる。
【００４８】
制御部１６は、視点特定部３２をさらに備える。視点特定部３２は、検出部１４の検出結果に基づいて、観察者の視点を特定する。
【００４９】
ここで、図５及び図６を参照しながら、視点特定部３２が観察者２６の視点を特定する方法について、もう少し詳しく説明する。図５に示すように、複数の検出部１４のそれぞれが観察者２６の顔を撮影する場合を考える。この場合、図６に示すように、各検出部１４が撮影する観察者２６の顔は、観察者２６の顔を正面から撮影したものではない。そこで、視点特定部３２は、例えば、各検出部１４が撮影する観察者２６の顔を合成する等して、観察者２６の視点を特定する。
【００５０】
視点特定部３２は、表示領域１８の前方に観察者が存在することを確認部３０が確認する際に参照した検出部１４の検出結果を利用して、観察者の視点を特定してもよい。この場合、既に取得した検出結果を利用することになるので、検出結果を新たに取得する場合に比して、処理時間を短くすることができる。
【００５１】
図１に示すように、制御部１６は、視界特定部３４をさらに備える。視界特定部３４は、観察者の視点に基づいて、観察者の視界を特定する。本実施形態では、視点特定部３２が特定した観察者の視点に基づいて、視界特定部３４が観察者の視界を特定する。
【００５２】
制御部１６は、基準設定部３６をさらに備える。基準設定部３６は、視界特定部３４が観察者の視界を特定する際の基準となる観察者の視点を設定する。
【００５３】
具体的には、例えば、表示領域１８の真正面で、表示領域１８から所定距離だけ離れた位置にいる観察者の視点を検出部１４が検出する。基準設定部３６は、当該観察者の視点を基準となる観察者の視点に設定する。複数の検出部１４のそれぞれが観察者の視点を検出する場合、基準設定部３６は、これらの検出された観察者の視点に基づいて、観察者の視点を特定し、特定した観察者の視点を基準となる観察者の視点に設定する。
【００５４】
制御部１６は、表示態様決定部３８をさらに備える。表示態様決定部３８は、視界特定部３４が特定した視界に基づいて、コンテンツの表示態様を決定する。
【００５５】
具体的には、表示態様決定部３８は、視界特定部３４が特定した視界に基づいて、表示態様データ（水平方向の表示態様データと、垂直方向の表示態様データ）を選択する。表示態様決定部３８は、選択した表示態様データに基づいて、コンテンツの表示態様を決定する。
【００５６】
ここで、図３、図４、図７〜図１０を参照しながら、表示態様決定部３８がコンテンツの表示態様を決定する方法について、もう少し詳しく説明する。理解を容易にするために、図３、図４、図７〜図１０では、１つの立方体４０だけを表示するコンテンツを示す。
【００５７】
図７は、デフォルトのコンテンツを示す。図７では、立方体４０の前面４０ａだけが見えている。ここで、例えば、観察者の視点が水平方向にのみ移動した場合を考える。この場合、角度θＨは０〜９０度の範囲にあり、角度θＶは０度である。そのため、図３の例では、立方体４０は、図８に示すように、前面４０ａだけでなく、側面４０ｂも見えるようになる。
【００５８】
また、例えば、観察者の視点が垂直方向にのみ移動した場合を考える。この場合、角度θＶは０〜９０度の範囲にあり、角度θＨは０度である。そのため、図４の例では、立方体４０は、図９に示すように、前面４０ａだけでなく、上面４０ｃも見えるようになる。
【００５９】
また、例えば、観察者の視点が水平方向と垂直方向とのそれぞれに移動した場合を考える。この場合、角度θＨは０〜９０度の範囲にあり、角度θＶは０〜９０度の範囲にある。そのため、図３及び図４を併せた例では、立方体４０は、図１０に示すように、前面４０ａと、側面４０ｂと、上面４０ｃとが見えるようになる。
【００６０】
コンテンツの見え方が変化することにより、隠れていた部分が見えるようになる。隠れていた部分が見えるというのは、図７〜図１０に示すように、立体形状の隠れていた部分が見えることに限定されない。例えば、図１１及び図１２に示すように、或いは、図１３及び図１４に示すように、表示領域１８の外側に位置することで隠れて見えなかった部分が、観察者２６の視点が移動することで見えるようになることを含む。
【００６１】
図１１及び図１２では、表示装置１０の一例として、パソコンのディスプレイを示す。このディスプレイは、デスクトップ型パソコンのディスプレイであってもよいし、ノート型パソコンのディスプレイであってもよい。図１１及び図１２の例では、パソコンで作成したグラフ４２が表示領域１８に表示されている。観察者２６の視点が図１１に示す位置から図１２に示す位置に移動することにより、図１１の位置では見えなかった部分（左端のグラフ４２の隠れていた部分）が見えるようになる。
【００６２】
図１３及び図１４では、表示装置１０の一例として、テレビ受像機を示す。図１３及び図１４の例では、野球の試合が表示領域１８に表示されている。観察者が図１３に示す位置から図１４に示す位置に移動することにより、図１３の位置では見えなかった選手４４が、図１４の位置では見えるようになる。
【００６３】
図１に示すように、制御部１６は、表示制御部４６をさらに備える。表示制御部４６は、表示態様決定部３８が決定したコンテンツの表示態様に基づいて、コンテンツを表示領域１８に表示する。
【００６４】
続いて、図１５を参照しながら、制御部１６（基準設定部３６）が実行する基準設定処理について説明する。基準設定処理は、例えば、観察者が表示装置を初めて使用する際に実行してもよいし、観察者が所望する任意の時期に実行してもよい。
【００６５】
先ず、制御部１６（基準設定部３６）は、ステップ（以下、Ｓ）１１において、表示領域１８の前方に観察者がいるか否かを判定する。観察者がいない場合（Ｓ１１：ＮＯ）、制御部１６（基準設定部３６）は、基準設定処理を終了する。
【００６６】
観察者がいる場合（Ｓ１１：ＹＥＳ）、制御部１６（基準設定部３６）は、Ｓ１２において、基準となる観察者の視点を決定する。その後、制御部１６（基準設定部３６）は、基準設定処理を終了する。
【００６７】
制御部１６（基準設定部３６）は、基準となる観察者の視点を決定する処理において、観察者を所定の位置に誘導してもよい。この誘導は、例えば、観察者を所定位置に誘導するための誘導表示を表示領域１８に表示することで実現される。或いは、観察者を所定位置に誘導するための誘導音声をスピーカ（図示せず）から出力することで実現される。誘導表示と誘導音声とを併用することも、勿論、可能である。
【００６８】
続いて、図１６を参照しながら、制御部１６が実行するコンテンツ表示処理について説明する。コンテンツ表示処理は、例えば、格納部２４にコンテンツのデータが格納されている場合には、繰り返し実行される。
【００６９】
先ず、制御部１６（判定部２８）は、Ｓ２１において、コンテンツのデータが表示態様データを含むか否かを判定する。表示態様データを含む場合（Ｓ２１：ＹＥＳ）、制御部１６（確認部３０）は、Ｓ２２において、観察者が表示領域１８の前方に位置するか否かを判定する。
【００７０】
観察者が表示領域１８の前方に位置すると判定された場合（Ｓ２２：ＹＥＳ）、制御部１６（視点特定部３２）は、Ｓ２３において、観察者の視点を特定する。次に、制御部１６（視界特定部３４）は、Ｓ２４において、観察者の視界を特定する。
【００７１】
続いて、制御部１６（表示態様決定部３８）は、Ｓ２５において、コンテンツの表示態様を決定する。次に、制御部１６（表示制御部４６）は、Ｓ２６において、表示領域１８にコンテンツを表示する。その後、制御部１６は、コンテンツ表示処理を終了する。
【００７２】
表示態様データを含まない場合（Ｓ２１：ＮＯ）、制御部１６（表示態様決定部３８）は、Ｓ２７において、コンテンツの表示態様をデフォルトに設定する。その後、制御部１６は、Ｓ２６以降の処理を実行する。
【００７３】
このような表示装置１０においては、観察者の視点に応じて、コンテンツの表示態様が決定される。そのため、観察者は所定の方向とは異なる方向から見たコンテンツを見ることができる。
【００７４】
ここで、表示装置１０においては、検出部１４が観察者の前方に設けられている。そのため、観察者の視点が検出し易くなる。その結果、観察者の視点とコンテンツの表示態様とを対応させ易くなる。
【００７５】
また、表示装置１０においては、観察者の視点を検出する検出部１４が表示装置１０に設けられている。そのため、観察者の視点を検出するための装置を、表示装置１０の他に、別途用意する必要がなくなる。その結果、観察者の視点を検出するための構成を簡単にすることができる。
【００７６】
コンテンツのデータが表示態様データを含む場合に、表示領域１８の前方に観察者がいるか否かが確認される。これにより、制御部１６が余計な処理を実行しなくて済む。
【００７７】
基準となる観察者の視点が設定される。これにより、観察者の視点の検出精度が向上する。
【００７８】
表示領域１８の前方に観察者が存在する場合に、観察者の視界が特定される。これにより、制御部１６が余計な処理を実行しなくて済む。
【００７９】
検出部１４が検出した結果に基づいて、表示領域１８の前方に観察者がいるか否かが確認される。これにより、必要な部品点数を少なくすることができる。
【００８０】
観察者が表示領域１８の前方にいない場合、コンテンツの表示態様がデフォルトに設定される。これにより、観察者が表示領域１８の前方にいない場合でも、表示領域１８にコンテンツを表示することができる。
【００８１】
複数の検出部１４のそれぞれが検出した結果に基づいて、観察者の視点が特定される。これにより、観察者の視点を特定する精度が向上する。
【００８２】
［第１の実施形態の応用例１］
例えば、コンテンツの一部に表示態様データを含まない領域がある場合に、コンテンツの表示態様を変更してもよい。この場合、例えば、図１７に示すように、当該表示態様データを含まない領域４８には、コンテンツが表示されないようにする。具体的には、例えば、当該表示態様データを含まない領域４８を黒表示にする。
【００８３】
［第１の実施形態の応用例２］
本応用例では、図１８に示すように、視点特定部３２が、判断部５０と、観察者特定部５２と、視点決定部５４とを備える。
【００８４】
判断部５０は、検出部１４が検出した結果に基づいて、観察者が複数存在するか否かを判断する。判断部５０は、例えば、パターン認識を利用することによって、観察者が複数存在するか否かを判断する。
【００８５】
観察者特定部５２は、観察者が複数存在すると判断部５０が判断した場合に、複数の観察者のうち表示パネル１２との距離が最も近い観察者を特定する。観察者特定部５２は、例えば、検出部１４が検出した結果のうち、観察者との距離に基づいて、表示パネル１２に最も近い観察者を特定する。
【００８６】
視点決定部５４は、観察者特定部５２が特定した観察者の視点を決定する。視点決定部５４は、例えば、検出部１４が検出した結果のうち、観察者特定部５２が特定した観察者の顔の画像データに基づいて、観察者特定部５２が特定した観察者の視点を決定する。
【００８７】
本応用例では、特定の観察者の視点に応じて、コンテンツの表示態様が決定される。そのため、複数の観察者のそれぞれが視点を変えた場合に、コンテンツの表示態様がその都度変わるのを防ぐことができる。
【００８８】
［第２の実施形態］
図１９を参照しながら、本発明の第２の実施形態としての表示装置５６について説明する。なお、以下の記載に置いて、第１の実施形態と同様な構造とされた部材及び部位については、図中に、第１の実施形態と同一の符号を付すことにより、それらの詳細な説明を省略する。
【００８９】
本実施形態では、第１の実施形態に比して、スピーカ５８を備える。また、本実施形態では、第１の実施形態に比して、制御部６０が異なる。本実施形態の制御部６０は、第１の実施形態に比して、出力態様決定部６２と、音声制御部６４とをさらに備える。
【００９０】
出力態様決定部６２は、視界特定部３４が特定した観察者の視界に基づいて、音声の出力態様を変更する。音声の出力態様は、例えば、スピーカが複数ある場合に何れのスピーカから音声を出力するか、音声をどれくらいの大きさで出力するか等である。音声の出力態様は、コンテンツの表示態様に対応して設定される。本実施形態では、音声の出力態様に関するデータが、コンテンツのデータに含まれている。音声の出力態様に関するデータは、例えば、コンテンツの表示態様データに対応して設定されている。
【００９１】
ここで、図２０及び図２１を参照しながら、音声の出力態様が変化する一例について説明する。図２０及び図２１では、表示装置５６の一例として、テレビ受像機を示す。図２０及び図２１の例では、野球の試合が表示領域１８に表示されている。
【００９２】
観察者２６が図２０に示す位置にいるときに、表示領域１８の外側の隠れて見えない部分から小さな音声が出力される場合を考える。この場合、音声の発生源を観察者２６が確認しようとして、観察者２６が図２１に示す位置に移動したとする。図２１に示す位置では、それまで隠れていた選手４４が見えるようになる。それに伴い、音声が大きくなる。その結果、観察者２６は、表示領域１８の外側に隠れていて見えなかった選手４４が、音声の発生源であると認識できる。
【００９３】
音声制御部６４は、出力態様決定部６２が決定した音声の出力態様に基づいて、音声を出力する。
【００９４】
続いて、図２２を参照しながら、制御部６０が実行する音声出力処理について説明する。音声出力処理は、例えば、格納部２４にコンテンツのデータが格納されている場合には、繰り返し実行される。音声出力処理は、例えば、コンテンツ表示処理と並行して実行される。
【００９５】
先ず、制御部６０（判定部２８）は、Ｓ３１において、コンテンツのデータが表示態様データを含むか否かを判定する。表示態様データを含む場合（Ｓ３１：ＹＥＳ）、制御部６０（確認部３０）は、Ｓ３２において、観察者が表示領域１８の前方に位置するか否かを判定する。
【００９６】
観察者が表示領域１８の前方に位置すると判定された場合（Ｓ３２：ＹＥＳ）、制御部６０（視点特定部３２）は、Ｓ３３において、観察者の視点を特定する。次に、制御部６０（視界特定部３４）は、Ｓ３４において、観察者の視界を特定する。
【００９７】
続いて、制御部６０（出力態様決定部６２）は、Ｓ３５において、音声の出力態様を決定する。次に、制御部６０（音声制御部６４）は、Ｓ３６において、スピーカ５８から音声を出力する。その後、制御部６０は、音声出力処理を終了する。
【００９８】
表示態様データを含まない場合（Ｓ３１：ＮＯ）、制御部６０（出力態様決定部６２）は、Ｓ３７において、音声の出力態様をデフォルトに設定する。その後、制御部６０は、Ｓ３６以降の処理を実行する。
【００９９】
以上、本発明の実施形態について、詳述してきたが、これらはあくまでも例示であって、本発明は、上述の実施形態によって、何等、限定されない。
【０１００】
例えば、前記第１及び第２の実施形態では、検出部１４が複数設けられていたが、例えば、検出部１４は１つであってもよい。この場合、視点特定部３２を設ける必要はない。
【符号の説明】
【０１０１】
１０：表示装置，１２：表示パネル，１４：検出部，１６：制御部，１８：表示領域，２８：判定部，３０：確認部，３２：視点特定部，３４：視界特定部，３６：基準設定部，３８：表示態様決定部，４６：表示制御部，５０：判断部，５２：観察者特定部，５４：視点決定部，６２：出力態様決定部，６４：音声制御部
【図１】
2014199963.tif 000003
【図２】
2014199963.tif 000004
【図３】
2014199963.tif 000005
【図４】
2014199963.tif 000006
【図５】
2014199963.tif 000007
【図６】
2014199963.tif 000008
【図７】
2014199963.tif 000009
【図８】
2014199963.tif 000010
【図９】
2014199963.tif 000011
【図１０】
2014199963.tif 000012
【図１１】
2014199963.tif 000013
【図１２】
2014199963.tif 000014
【図１３】
2014199963.tif 000015
【図１４】
2014199963.tif 000016
【図１５】
2014199963.tif 000017
【図１６】
2014199963.tif 000018
【図１７】
2014199963.tif 000019
【図１８】
2014199963.tif 000020
【図１９】
2014199963.tif 000021
【図２０】
2014199963.tif 000022
【図２１】
2014199963.tif 000023
【図２２】
2014199963.tif 000024